(57)【要約】      （修正有）【課題】構造が簡単で、容易に設置することができ、地震時に目地部が狭くなっても損傷することなく、スムーズに可動目地プレートの先端部を上方へスライド移動させることができる天井用目地カバー装置を提供する。【解決手段】一方の建物３の天井部位の躯体３ｂに吊り具４を介して取付けられた天井材８と、この天井材と対応する部位の他方の建物３の目地部側躯体に後端部が上方へ移動可能で、かつ先端部を上方へ回動できる可動目地プレート取付具９によって取付けられた目地部を覆う可動目地プレート１０と、天井材の目地部側端部に取付けられた、可動目地プレートの先端部と、地震時に当接して上方へガイドすることができる傾斜面のガイドレール１２と、可動目地プレートの先端部に取付けられたガイドレールの傾斜面の長さ寸法とほぼ同じ寸法で、先端部が該ガイドレールの傾斜面に当接するガイド片１４とで構成している。【選択図】図２
2014012950.tif 000002
【特許請求の範囲】
【請求項１】
目地部を介して設けられた左右の建物の、一方の建物の天井部位の躯体に吊り具を介して取付けられた天井材と、この天井材と対応する部位の前記左右の建物の、他方の建物の目地部側躯体に後端部が上方へ移動可能で、かつ先端部を上方へ回動できる可動目地プレート取付具によって取付けられた目地部を覆う可動目地プレートと、前記天井材の目地部側端部に取付けられた、前記可動目地プレートの先端部と、地震時に当接して上方へガイドすることができる傾斜面のガイドレールと、前記可動目地プレートの先端部に取付けられた前記ガイドレールの傾斜面の長さ寸法とほぼ同じ寸法で、かつ可動目地プレートの先端部が下方へ下がると、先端部が該ガイドレールの傾斜面に最初に当接するガイド部を有するガイド片とからなることを特徴とする天井用目地カバー装置。
【請求項２】
可動目地プレート取付具は他方の建物の目地部側の躯体に固定あるいは前後方向に移動できる支承体と、この支承体の上面に前記他方の建物の躯体との間に隙間を有するように所定間隔で上方へ突出するように固定された複数個の支柱と、この複数個の支柱に少なくとも左右方向に遊びを有する係合孔を有する可動目地プレートの後端部に取付けられた複数個のブラケットで構成されていることを特徴とする請求項１記載の天井用目地カバー装置。
【請求項３】
可動目地プレートは複数個のブラケットが後端部に取付けられた目地プレートフレームと、この目地プレートフレームに所定間隔で左右方向に取付けられた複数個のプロテクターと、この複数個のプロテクター間を覆い、かつ該複数個のプロテクターの下端部より下端部が上方へ位置する目地天井材とが構成されていることを特徴とする請求項１、請求項２いずれかに記載の天井用目地カバー装置。
【発明の詳細な説明】
【技術分野】
【０００１】
本発明は目地部を介して設けられた左右の建物の天井部分の目地部を覆う天井用目地カバー装置に関する。
【背景技術】
【０００２】
従来の天井用目地カバー装置は、地震で目地部が狭くなると可動目地プレートの先端部を押し上げ杆、受け具、押し上げ部材によって上方へ押し上げて、その揺れ動きを吸収できるように構成されている。
しかしながら、可動目地プレートの先端部を、目地部が狭くなる時に押し上げ杆、受け具、押し上げ部材等の上方へ押し上げる機構が必要で、コスト高になるという欠点があった。
【０００３】
このため、可動目地プレートの先端部を傾斜面にして、該先端部と当接する部位に傾斜面のガイド片を設けて、目地部が狭くなるとガイド片に沿って可動目地プレートの先端部を上方へガイドすることも考えられているが、この場合、可動目地プレートの先端部が地震の揺れ動き等で下がった場合、ガイド片と衝突して損傷してしまったり、可動目地プレートがガイド片をスライド移動する時に、可動目地プレートにキズを付けたりするという欠点があった。
【先行技術文献】
【特許文献】
【０００４】
【特許文献１】特許第３６８８５１０号公報
【発明の概要】
【発明が解決しようとする課題】
【０００５】
本発明は以上のような従来の欠点に鑑み、構造が簡単で、容易に設置することができ、地震時に目地部が狭くなっても損傷することなく、スムーズに可動目地プレートの先端部を上方へスライド移動させることができる天井用目地カバー装置を提供することを目的としている。
【０００６】
また、本発明は可動目地プレートの設置が容易で、楽にでき、かつ可動目地プレートの移動時に目地天井材にキズが付いたりして損傷するのを効率よく阻止することができる天井用目地カバー装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は目地部を介して設けられた左右の建物の、一方の建物の天井部位の躯体に吊り具を介して取付けられた天井材と、この天井材と対応する部位の前記左右の建物の、他方の建物の目地部側躯体に後端部が上方へ移動可能で、かつ先端部を上方へ回動できる可動目地プレート取付具によって取付けられた目地部を覆う可動目地プレートと、前記天井材の目地部側端部に取付けられた、前記可動目地プレートの先端部と、地震時に当接して上方へガイドすることができる傾斜面のガイドレールと、前記可動目地プレートの先端部に取付けられた前記ガイドレールの傾斜面の長さ寸法とほぼ同じ寸法で、かつ可動目地プレートの先端部が下方へ下がると、先端部が該ガイドレールの傾斜面に最初に当接するガイド部を有するガイド片とで天井用目地カバー装置を構成している。
【発明の効果】
【０００９】
以上の説明から明らかなように、本発明にあっては次に列挙する効果が得られる。
（１）請求項１により、地震や経年変化等によって可動目地プレートの先端部が下方に下がって目地部が狭くなっても、ガイドレールの傾斜面に可動目地プレートの先端部のガイド片のガイド部が最初に接触して、可動目地プレートの先端部が上方へ移動するため、従来のように可動目地プレートの先端部がガイドレールに衝突して損傷するのを確実に防止することができる。
（２）前記（１）により、可動目地プレートの先端部にガイドレールの傾斜面の長さ寸法とほぼ同じ寸法で、かつ可動目地プレートの先端部が下方へ下がると、先端部が該ガイドレールの傾斜面に最初に当接するガイド部を有するガイド片を取付けているので、可動目地プレートの先端部にガイド片を取付けるだけでよく、構造が簡単で、安価に設置することができる。
（３）前記（１）によって、可動目地プレートの先端部がガイドレールの傾斜面の長さ寸法に近い寸法分だけ下方へ下がっても、ガイド片のガイド部がガイドレールに目地部が狭くなる揺れ動き時に当接して、スムーズに可動目地プレートを上方へ移動させることができる。
（４）請求項２も前記（１）〜（３）と同様な効果が得られるとともに、可動目地プレート取付具の支承体の上面に固定された複数個の支柱にブラケットの係合孔を係合させるだけで可動目地プレートを取付けることができ、容易で、楽に可動目地プレートを取付けることができる。
（５）請求項３も前記（１）〜（３）と同様な効果が得られるとともに、地震で目地部が狭くなっても、ガイドレールに可動目地プレートの複数個のプロテクターだけが接触するため、目地天井材にキズが付いたりする損傷を効率よく阻止でき、長期間きれいな状態で使用することができる。
【図面の簡単な説明】
【００１０】
【図１】本発明を実施するための第１の形態の平面図。
【図２】図１の２−２線に沿う断面図。
【図３】可動目地プレート取付具の支承体の取付け状態を示す説明図。
【図４】可動目地プレート取付具のブラケットを取付けた可動目地プレートの平面図。
【図５】図４の５−５線に沿う断面図。
【図６】図４の６−６線に沿う断面図。
【図７】本発明を実施するための第１の形態の目地部が狭くなった動作説明図。
【図８】本発明を実施するための第１の形態の目地部が非常に狭くなった動作説明図。
【図９】本発明を実施するための第１の形態の目地部が広くなった動作説明図。
【図１０】本発明を実施するための第１の形態の可動目地プレートの先端部が下がって目地部が狭くなる場合の動作説明図。
【図１１】本発明を実施するための第２の形態の平面図。
【図１２】図１１の１２−１２線に沿う断面図。
【図１３】図１１の１３−１３線に沿う断面図。
【図１４】本発明を実施するための第２の形態の可動目地プレート取付具の説明図。
【図１５】本発明を実施するための第２の形態の前後方向の動作説明図。
【図１６】本発明を実施するための第３の形態の平面図。
【図１７】図１６の１７―１７線に沿う断面図。
【図１８】本発明を実施するための第３の形態の可動目地プレート取付具の説明図。
【発明を実施するための形態】
【００１１】
以下、図面に示す本発明を実施するための形態により、本発明を詳細に説明する。
【００１２】
図１ないし図１０に示す本発明を実施するための第１の形態において、１は目地部２を介して設けられた左右の建物３、３間の天井目地部２を覆う本発明の天井用目地カバー装置で、この天井用目地カバー装置１は一方の建物３の天井部位の躯体３ａに取付けられた複数個の吊り具４、この吊り具４で吊り下げられた取付部材５を介して取付けられたプラスターボードを用いた下地板６、この下地板６を覆うように接着剤等で固定された仕上げボード等の仕上材７を用いた天井材８と、この天井材８と対応する部位の前記左右の建物３、３の、他方の建物３の目地部側の躯体３ｂに後端部が上方へ移動可能で、かつ先端部を上方へ回動できる可動目地プレート取付具９によって取付けられた前記目地部２を覆う可動目地プレート１０と、前記天井材８の目地部側端部に取付けられた前記可動目地プレート１０の先端部と、地震時に当接して上方へガイドすることができる傾斜面１１を有するガイドレール１２と、前記可動目地プレート１０の先端部に取付けられた前記ガイドレール１２の傾斜面１１の長さ寸法とほぼ同じ寸法で、かつ前記可動目地プレート１０の先端部が下方へ下がると、先端部が該ガイドレール１２の傾斜面１１に最初に当接するほぼ半円弧状のガイド部１３を有するガイド片１４と、前記ガイドレール１２の下端部に一体あるいは固定された、前記ガイド片１４のガイド部１３の左右方向の長さ寸法Ｌよりも小さい長さ寸法の、前記可動目地プレート１０の先端部を覆うカバー部材１５と、前記他方の建物３の躯体３ｂの前記可動目地プレート１０の後方の上方への動きを阻止しない部位にほぼ水平状態で取付けられたカバー体１６とで構成されている。
【００１３】
前記可動目地プレート取付具９は前記他方の建物３の目地部側の躯体３ｂに水平となるように複数本のタッピングビス１７等で固定された上面がコ字状に折り曲げられた支持部１８を有する支承体１９と、この支承体１９の支持部１８に前記他方の建物３の躯体３ｂとの間の隙間Ｓを有するように所定間隔で上方へ突出するように固定された角パイプや角柱状の複数個、本発明の実施の形態では５個の支柱２０、２０、２０、２０、２０と、この複数個の支柱２０、２０、２０、２０、２０が挿入される少なくとも左右方向の遊び（隙間）を有する係合孔２１、２１、２１、２１、２１が形成された支持部２２、２２、２２、２２、２２、この支持部２２、２２、２２、２２、２２と一体に形成されたＬ字状に曲げられ、一方の上面が傾斜面２３の前記可動目地プレート１０の後端部に固定されたブラケット２４、２４、２４、２４、２４とで構成されている。
【００１４】
前記可動目地プレート１０は長方形状の枠が複数個、本発明の実施の形態では５個の枠２５、２５、２５、２５、２５が形成され、かつ前記可動目地プレート取付具９のブラケット２４、２４、２４、２４、２４が後部に取付けられた目地プレートフレーム２６と、この目地プレートフレーム２６の両端部の縦フレーム２６ａ、２６ａよりも内部位置の縦フレーム２６ａ、２６ａに複数本のタッピングビス２７等によって固定された下部が、該目地プレートフレーム２６の下端部よりも下方へ突出する複数個、本発明の実施の形態では２個のプロテクター２８、２８と、この２個のプロテクター２８、２８が取付けられている部位の縦フレーム２６ａ、２６ａの反対面に複数本のタッピングビス２７等で固定されたアングル状の目地天井材取付部材２９、２９と、この目地天井材取付部材２９、２９および前記目地プレートフレーム２６の縦フレーム２６ａ、２６ａ、２６ａ、２６ａ、２６ａ、２６ａの底面に複数本のタッピングビス２７等で下面が前記プロテクター２８、２８の下面より数ミリメートル、最適には２〜３ミリメートル上方に位置するように固定されたプラスターボードを用いた下地板３０、３１、３０、この下地板３０、３１、３０の下面を覆うように接着剤等で固定された仕上げボード等の仕上材３２、３３、３２を用いた目地天井材３４、３５、３４とで構成されている。
【００１５】
上記構成の天井用目地カバー装置１は、通常時には目地部２は天井材８と同一面に位置する可動目地プレート１０で覆われた状態になっている。
【００１６】
しかも、可動目地プレート１０の先端部と天井材８との間の隙間はガイドレール１２のカバー部材１５で覆われるとともに、可動目地プレート１０の後端部はカバー体１６で覆われ、隙間が下方から見えない状態になっている。
【００１７】
地震で左右の建物３、３が揺れ動き目地部が狭くなると、図７に示すように可動目地プレート１０の先端部に固定されたガイド片１４が天井材８に固定されたガイドレール１２に当接し、該ガイドレール１２の傾斜面１１に沿って上方へ移動して、その揺れ動きを吸収する。
【００１８】
この地震の揺れ動き時に目地部２が広くなった後に、狭くなるような揺れ動きが生じ、可動目地プレート１０の先端部であるガイド片１４がガイドレール１２のカバー部材１５と衝突するような位置に下がった場合、図１０に示すようにガイド片１４のガイド部１３がガイドレール１２の傾斜面１１に最初に接触して、上方へガイドするので、ガイド片１４がガイドレール１２のカバー部材１５に衝突状態で当接するのを確実に阻止できるとともに、可動目地プレート１０がガイドレール１２の傾斜面１１を乗り越えた場合、図８に示すように可動目地プレート１０のプロテクター２８、２８の先端部だけがガイドレール１２と接触するため、目地天井材３４、３５、３４の仕上材３２、３３、３２は接触しないので、キズが付いたりするのを防止することができる。
【００１９】
また、目地部２が通常時の半分以下となるように左右の建物３、３が揺れ動いた場合、可動目地プレート１０の先端部が天井材８に固定されているガイドレール１２上に位置し、該可動目地プレート１０の中央部より後方寄りの部位が支持された状態となるため、可動目地プレート１０の自重バランスによって後方が上方へ回動して水平状態となるが、この時、支柱２０、２０、２０、２０、２０からブラケット２４、２４、２４、２４、２４が外れない支柱２０、２０、２０、２０、２０の高さになっているため、目地部２が広くなると、元の状態へ自動的に戻る。
【００２０】
地震で目地部２が広くなるように左右の建物３、３が揺れ動くと、図９に示すように可動目地プレート１０の先端部のガイド片１４より一方の建物３の天井材８に固定されたガイドレール１２が離れていくが、可動目地プレート１０の後端部が他方の建物３の目地部側の躯体３ｂに固定された支承体１９と当接しているため、水平状態を保った状態でその揺れ動きを吸収する。
【００２１】
地震の揺れ動きが停止すると、前述のような動作によって、元の状態に自動的に戻る。
【００２２】
[発明を実施するための異なる形態]
次に、図１１ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２３】
図１１ないし図１５に示す本発明を実施するための第２の形態において、前記本発明を実施するための第１の形態と主に異なる点は、他方の建物３の目地部側の躯体３ｂに固定された上面、上部背面および下部正面に前後方向にスムーズに移動させることができるローラ３６、３６、３６が設けられたクランク状の固定支承体３７と、この固定支承体３７の上面、上部背面および下部正面のローラ３６、３６、３６によって前後方向にスライド移動する支柱２０、２０、２０、２０、２０を備えた可動支承体３８と、この可動支承体３８の支柱２０、２０、２０、２０、２０が挿入される係合孔２１、２１、２１、２１、２１が形成された可動目地プレート１０の、目地プレートフレーム２６に固定されるブラケット２４、２４、２４、２４、２４とからなる可動目地プレート取付具９Ａを用いた点で、このような可動目地プレート取付具９Ａを用いて構成した天井用目地カバー装置１Ａにしても、前記本発明を実施するための第１の形態と同様な作用効果が得られるとともに、左右の建物３、３が地震で異なる前後方向に揺れ動いても、可動支承体３８が前後方向にスライド移動して、その揺れ動きを吸収することができる。
【００２４】
この場合、可動目地プレート１０の先端部側の両端部は一方の建物３の側壁に当接し、一方の建物３の前後方向の移動に追従できるようにしておく。
【００２５】
図１６ないし図１８に示す本発明を実施するための第３の形態において、前記本発明を実施するための第１の形態と主に異なる点は、他方の建物３の目地部側の躯体３ｂに上部が支持部３９となるようにタッピングビス４０等で固定された支承体４１と、この支承体４１の支持部３９に形成された係合孔２１、２１、２１、２１、２１に遊びを有するように挿入される下端部がヒンジ部材４２を介して可動目地プレート１０の目地プレートフレーム２６に取付けられる棒状のブラケット２４Ａ、２４Ａ、２４Ａ、２４Ａ、２４Ａと、この棒状のブラケット２４Ａ、２４Ａ、２４Ａ、２４Ａ、２４Ａの支承体４１の支持部３９の上部位置に固定された可動目地プレート１０を水平状態に保持するとともに、所定位置より下がらないように係止するストッパー４３、４３、４３、４３、４３とからなる可動目地プレート取付具９Ｂを用いた点で、このような可動目地プレート取付具９Ｂを用いて構成した天井用目地カバー-装置１Ｂにしても、前記本発明を実施するための第１の形態と同様な作用効果が得られる。
【００２６】
なお、前記本発明の各実施の形態では５個の支柱を用いた可動目地プレート取付具９、９Ａ、９Ｂについて説明したが、本発明はこれに限らず、２個以上の支柱を用いたものであってもよい。
【００２７】
また、可動目地プレート取付具９、９Ａ、９Ｂは可動目地プレート１０の先端部が上方へ回動するとともに、後端部を上方へ移動できる構造のものであれば、どんな構造のものを用いてもよい。
【００２８】
さらに、可動目地プレート１０として２個のプロテクターを用いたものについて説明したが、本発明はこれに限らず、２個以上のプロテクターを使用したり、プロテクターを使用しない可動目地プレートを用いてよい。  
【産業上の利用可能性】
【００２９】
本発明は目地部を介して設けられた左右の建物の天井部分の目地部を覆う天井用目地カバー装置を製造する産業で利用される。
【符号の説明】
【００３０】
１、１Ａ、１Ｂ：天井用目地カバー装置、
２：目地部、        ３：建物、
４：吊り具、          ５：取付部材、  
６：下地板、        ７：仕上材、
８：天井材、
９、９Ａ、９Ｂ：可動目地プレート取付部材、
１０：可動目地プレート、    １１：傾斜面、
１２：ガイドレール、    １３：ガイド部、
１４：ガイド片、      １５：カバー部材、
１６：カバー体、      １７：タッピングビス、
１８：支持部、      １９：支承体、
Ｓ：隙間、        ２０：支柱、
２１：係合孔、      ２２：支持部、
２３：傾斜面、      ２４、２４Ａ：ブラケット、
２５：枠、        ２６：目地プレートフレーム、
２７：タッピングビス、    ２８：プロテクター、
２９：目地天井材取付部材、  ３０、３１：下地板、
３２、３３：仕上材、    ３４、３５：目地天井材、
３６：ローラ、      ３７：固定支承体、
３８：可動支承体、      ３９：支持部、
４０：タッピングビス、    ４１：支承体、
４２：ヒンジ部材、      ４３：ストッパー。
【図１】
2014012950.tif 000003
【図２】
2014012950.tif 000004
【図３】
2014012950.tif 000005
【図４】
2014012950.tif 000006
【図５】
2014012950.tif 000007
【図６】
2014012950.tif 000008
【図７】
2014012950.tif 000009
【図８】
2014012950.tif 000010
【図９】
2014012950.tif 000011
【図１０】
2014012950.tif 000012
【図１１】
2014012950.tif 000013
【図１２】
2014012950.tif 000014
【図１３】
2014012950.tif 000015
【図１４】
2014012950.tif 000016
【図１５】
2014012950.tif 000017
【図１６】
2014012950.tif 000018
【図１７】
2014012950.tif 000019
【図１８】
2014012950.tif 000020